(57)【要約】【課題】高い汎用性をもってワイヤハーネスの外装材から突出する電線の端末を保護できる、新規な構造の電線保護テープおよびそれを用いたワイヤハーネスの電線保護構造を提供すること。【解決手段】ワイヤハーネス用の電線保護テープ１０であって、伸縮テープ１２と、伸縮テープ１２より伸縮性の低い素材からなると共に、伸縮テープ１２よりも幅寸法が小さい固定テープ１４と、を含んでおり、伸縮テープ１２の幅方向一方の端部１６側に、固定テープ１４が重ね合わされて接着されている。【選択図】図３
2014150679.tif 000002
【特許請求の範囲】
【請求項１】
ワイヤハーネス用の電線保護テープであって、
伸縮テープと、
前記伸縮テープより伸縮性の低い素材からなると共に、該伸縮テープよりも幅寸法が小さい固定テープと、を含んでおり、
前記伸縮テープの幅方向一方の端部側に、前記固定テープが重ね合わされて接着されている
ことを特徴とする電線保護テープ。
【請求項２】
前記固定テープは、前記伸縮テープの幅方向他方の端部に向かって突出する突出部を有し、該突出部は、長手方向に相互に離隔して複数設けられている請求項１に記載の電線保護テープ。
【請求項３】
多数の電線束と、該電線束の外周面に装着される外装材と、前記電線束の端末に装着されたコネクタを備えたワイヤハーネスにおいて、前記外装材の端部から略扇状に広がって突出し前記コネクタに接続される電線露呈領域に配設される電線群を保護するワイヤハーネスの電線保護構造であって、
請求項１又は２に記載の電線保護テープを用い、
前記電線保護テープの前記固定テープ側が、前記電線露呈領域の前記外装材側に巻き付けられている一方、前記電線保護テープの前記伸縮テープ側が、前記電線露呈領域の前記コネクタ側に巻き付けられている
ことを特徴とするワイヤハーネスの電線保護構造。
【発明の詳細な説明】
【技術分野】
【０００１】
本発明は、自動車に配索されるワイヤハーネスの外装材から突出する電線の端末を保護する電線保護テープと、かかる電線保護テープを用いたワイヤハーネスの電線保護構造に関するものである。
【背景技術】
【０００２】
従来から、自動車の内部には、バッテリーと各種電装品間を接続する多数の電線が結束されてなるワイヤハーネスが配索されている。このようなワイヤハーネスでは、他部材との干渉等による電線の損傷を防止する目的から、電線束の外周面に巻回される結束テープや、さらにその外周側に装着される合成樹脂製のコルゲートチューブ等の外装材により、各電線の保護を図ることが行われている。
【０００３】
ところで、ワイヤハーネスを構成する電線束の端末にコネクタが装着される場合には、略円筒形に結束された電線束の端末を、長手矩形状のコネクタ内に整列配置された端子金具にそれぞれ接続させるために、電線束の端末を略扇状に広げた状態とする必要がある。それ故、ワイヤハーネスの電線束の外周面に装着される外装材は、その終端をコネクタから所定寸法離れた位置に設定して、各電線のコネクタ接続部分に、外装材による負荷が加えられることを抑制することが行われている。
【０００４】
さらに、外装材の端部から略扇状に広がって突出し、コネクタに接続される領域に配索される電線群についても、露出状態とせずにシート等で電線群の外周面を覆って保護したいという要請も多い。そこで、本出願人は、特開平１１−２１３７８６号公報（特許文献１）において、外装材の端部から突出され端末が扇状に広がってコネクタに接続される電線群を、特許文献１の図１（Ｂ）に示されるような扇形状を有する保護シートで覆うことを提案している。
【０００５】
しかしながら、このような保護シートでは、コネクタの形状や電線群の本数等により変化する電線群の扇形状に応じて、多種多様の形状の保護シートが必要となり、汎用性等の観点から、未だ改良の余地があった。
【先行技術文献】
【特許文献】
【０００６】
【特許文献１】特開平１１−２１３７８６号公報
【発明の概要】
【発明が解決しようとする課題】
【０００７】
本発明は、上述の事情を背景に為されたものであって、その解決課題は、高い汎用性をもってワイヤハーネスの外装材から突出する電線の端末を保護できる、新規な構造の電線保護テープおよびそれを用いたワイヤハーネスの電線保護構造を提供することにある。
【課題を解決するための手段】
【０００８】
ワイヤハーネス用の電線保護テープに関する本発明の第一の態様は、ワイヤハーネス用の電線保護テープであって、伸縮テープと、前記伸縮テープより伸縮性の低い素材からなると共に、該伸縮テープよりも幅寸法が小さい固定テープと、を含んでおり、前記伸縮テープの幅方向一方の端部側に、前記固定テープが重ね合わされて接着されていることを特徴とする。
【０００９】
本態様によれば、電線保護テープの幅方向一方の側に、伸縮テープよりも幅寸法が小さく且つ伸縮性の小さい固定テープが接着されている。そして、電線保護テープの幅方向他方の側に、伸縮テープのみで構成された領域が設けられている。従って、ワイヤハーネスにおいて、外装材の端部から略扇状に広がって突出し、コネクタに接続される電線露呈領域に配設される電線群に対して、本発明の電線保護テープを有利に巻き付けて保護することができる。すなわち、外装材から突出する電線露呈領域の電線群において、各電線の外装材側の領域には固定テープが設けられた側を巻き付ける一方、各電線のコネクタ側の領域には主に伸縮テープで構成された側を巻き付ける。これにより、外装材から突出する電線の外装材側に固定テープが巻き付けられて、電線保護テープが電線群に対して確実に位置固定される一方、コネクタ側は伸縮テープが巻き付けられて電線の広がりが許容されるようにできるのである。それ故、本発明の電線保護テープを用いれば、電線露呈領域の電線群に過大な負荷をかけることなく、それらを好適に外周側から保護することができるのである。
【００１０】
しかも、本態様の電線保護テープは、長手状に連続して延びていることから、コネクタ形状や電線本数により電線露呈領域の扇形状が様々に変化する場合でも、電線露呈領域に巻き付けるテープの長さを変えるだけで、それらの形状変化に容易に対応することができる。従って、従来技術の如き扇形状に個別に切断形成した保護シートを様々に取り揃える場合に比して、飛躍的な汎用性の向上を図ることができるのである。
【００１１】
ここで、伸縮テープの幅寸法に対する固定テープの幅寸法の比率は、任意に設定可能である。例えば、電線露呈領域の扇形状への追従性や電線への負荷低減の観点から、固定テープの最小幅寸法は、伸縮テープの幅寸法の２／３以下、より好ましくは１／２以下が望ましい。なお、固定テープの幅寸法とは、長手方向に連続して延出する部分における幅寸法を言い、後述する第二の態様の突出部のように長手方向に不連続に設けられた部分は含まない。
【００１２】
ワイヤハーネス用の電線保護テープに関する本発明の第二の態様は、前記第一の態様に記載のものにおいて、前記固定テープは、前記伸縮テープの幅方向他方の端部に向かって突出する突出部を有し、該突出部は、長手方向に相互に離隔して複数設けられているものである。
【００１３】
本態様によれば、電線保護テープの幅方向他方の端部に突出部を設けたことにより、電線保護テープの幅方向他方の端部では、長手方向に固定テープが局在するようにされている。これにより、電線保護テープの幅方向他方の端部の伸縮性を、長手方向に設けられた固定テープの割合でもって制御することができるようになる。それ故、電線保護テープの素材を変えることなく、長手方向に設けられた固定テープの割合すなわち突出部のピッチや形状を変更することにより、非常に容易に電線保護テープの幅方向他方の端部の伸縮性を制御できる。それ故、ワイヤハーネスの外装材から突出する各電線の端末の保護に最適な電線保護テープの設計自由度が向上する。
【００１４】
ワイヤハーネスの電線保護構造に関する本発明の第一の態様は、多数の電線束と、該電線束の外周面に装着される外装材と、前記電線束の端末に装着されたコネクタを備えたワイヤハーネスにおいて、前記外装材の端部から略扇状に広がって突出し前記コネクタに接続される電線露呈領域に配設される電線群を保護するワイヤハーネスの電線保護構造であって、前記第一又は第二の態様に記載の電線保護テープを用い、前記電線保護テープの前記固定テープ側が、前記電線露呈領域の前記外装材側に巻き付けられている一方、前記電線保護テープの前記伸縮テープ側が、前記電線露呈領域の前記コネクタ側に巻き付けられていることを特徴とする。
【００１５】
本態様によれば、外装材から突出する電線露呈領域の電線群において、各電線の基端側となる外装材側の領域には固定テープが設けられた側を巻き付ける一方、各電線の先端側となるコネクタ側の領域には主に伸縮テープが設けられた側を巻き付けることができる。これにより、外装材から突出する電線の基端部側に固定テープが巻き付けられて、電線保護テープが電線群に対して確実に位置固定される一方、先端部側は伸縮テープが巻き付けられて電線の広がりが許容されるようにできるのである。それ故、本発明の電線保護テープを用いれば、電線露呈領域の電線群に過大な負荷をかけることなく、それらを好適に外周側から保護することができるのである。
【００１６】
しかも、本態様の電線保護テープは、長手状に連続して延びていることから、コネクタ形状や電線本数により電線露呈領域の扇形状が様々に変化する場合でも、電線露呈領域に巻き付けるテープの長さを変えるだけで、それらの形状変化に容易に対応することができる。従って、従来技術の如き扇形状に個別に切断形成した保護シートを様々に取り揃える場合に比して、飛躍的な汎用性の向上を図ることができるのである。
【発明の効果】
【００１７】
本発明によれば、電線保護テープの幅方向一方の側には伸縮テープよりも伸縮性の小さい固定テープが接着されている一方、幅方向他方の側は伸縮テープのみで構成される部分を含んでいる。これにより、ワイヤハーネスにおいて、外装材の端部から略扇状に広がって突出し、コネクタに接続される電線露呈領域に配設される電線群に対して、固定テープ側を外装材側に向けて本発明の電線保護テープを巻き付けるだけで、扇状の形状に添うように有利に巻き付けることができる。しかも、本発明の電線保護テープは長手状に連続して延びていることから、コネクタ形状や電線本数により電線露呈領域の扇形状が様々に変化する場合でも、電線露呈領域に巻き付けるテープの長さを変えるだけで、それらの形状変化に容易に対応することができる。
【図面の簡単な説明】
【００１８】
【図１】本発明の第一の実施形態としての電線保護テープの平面図。
【図２】図１の正面図。
【図３】図１に示す電線保護テープを用いたワイヤハーネスの電線保護構造を示す平面図。
【図４】本発明の第二の実施形態としての電線保護テープの平面図。
【図５】図４の正面図。
【図６】図４に示す電線保護テープを用いたワイヤハーネスの電線保護構造を示す平面図。
【発明を実施するための形態】
【００１９】
以下、本発明の実施形態について、図面を参照しつつ説明する。
【００２０】
図１〜２には、本発明の第一の実施形態としての電線保護テープ１０が示されている。電線保護テープ１０は、図１〜２に示すように、伸縮テープ１２と固定テープ１４とを含んで構成されている。固定テープ１４は、伸縮テープ１２より伸縮性の低い素材からなる一方、伸縮テープ１２よりも小さな幅寸法（Ｗ２＜Ｗ１）で形成されている。そして、伸縮テープ１２の幅方向一方の端部１６側に、固定テープ１４が重ね合わされて接着された構造とされている一方、長手状に連続したベルト状部材として構成されている。なお、固定テープ１４が接着されていない側の伸縮テープ１２の面には、粘着剤が塗布されている。
【００２１】
ここで、伸縮テープ１２の素材としては、固定テープ１４よりも伸縮性の高い素材であれば何れも採用可能であり、例えば、モビロン（日清紡ケミカル株式会社の商品名）等の熱可塑性ポリウレタンエラストマー、その他の熱可塑性エラストマーや熱硬化性エラストマー、あるいは、テーピングテープ等の伸縮性綿布などが考えられる。一方、固定テープ１４の素材としては、伸縮テープ１２よりも伸縮性の低い素材であれば何れも採用可能であり、例えば、ＰＶＣ（ポリ塩化ビニル）等の合成樹脂材料などが考えられる。
【００２２】
次に、図３に、図１〜２に示す電線保護テープ１０を用いたワイヤハーネス１８の電線保護構造を説明するための平面図を示す。ここで、ワイヤハーネス１８は、多数の図示しない電線束と、電線束の外周面に装着される外装材であるコルゲートチューブ２２と、電線束の端末に装着された長手矩形状のコネクタ２４、を備えて構成されている。かかるワイヤハーネス１８において、コルゲートチューブ２２の端部２６から略扇状に広がって突出しコネクタ２４に接続される電線露呈領域２８に、電線群３０が配設されている。この電線露呈領域２８に配設された電線群３０の外周面を電線保護テープ１０で保護するためには、図１に示す電線保護テープ１０の固定テープ１４側をコルゲートチューブ２２の端部２６側に一部分重ねた状態で、電線保護テープ１０を電線露呈領域２８の周りに巻き付けてやればよい。これにより、電線露呈領域２８のうち、電線群３０の広がりが少ないコルゲートチューブ２２側の領域には電線保護テープ１０の固定テープ１４が設けられた側が巻き付けられている一方、電線群３０の広がりが大きいコネクタ２４側の領域には電線保護テープ１０の主に伸縮テープ１２で構成された側が巻き付けられた構成とすることができるのである。
【００２３】
これにより、コルゲートチューブ２２から突出する電線群３０のコルゲートチューブ２２側に固定テープ１４が巻き付けられて、電線保護テープ１０が電線群３０に対して確実に位置固定される一方、コネクタ２４側は伸縮テープ１２が巻き付けられて電線群３０の広がりが許容されるようにできるのである。それ故、本実施形態の電線保護テープ１０を用いれば、扇状の形状に添うように有利に巻き付けることができるので、電線露呈領域２８の電線群３０に過大な負荷をかけることなく、それらを好適に外周側から保護することができるのである。
【００２４】
しかも、図１に示すように、本実施形態の電線保護テープ１０は、長手状に連続して延びていることから、コネクタ２４の形状や電線群３０の本数により電線露呈領域２８の扇形状が様々に変化する場合でも、電線露呈領域２８に巻き付ける電線保護テープ１０の長さを変えるだけで、それらの形状変化に容易に対応することができる。従って、従来技術の如き扇形状に個別に切断形成した保護シートに様々に取り揃える場合に比して、飛躍的な汎用性の向上を図ることができるのである。
【００２５】
なお、伸縮テープ１２の幅寸法：Ｗ１に対する固定テープ１４の幅寸法：Ｗ２の比率（Ｗ２／Ｗ１）は、任意に設定可能であるが、電線露呈領域２８の扇形状への追従性や電線群３０への負荷低減の観点から、固定テープ１４の幅寸法：Ｗ２は、伸縮テープ１２の幅寸法：Ｗ１の２／３以下、より好ましくは１／２以下が望ましい。
【００２６】
次に、図４〜５には、本発明の第二の実施形態としての電線保護テープ３２が示されている。本実施形態の電線保護テープ３２において、固定テープ３４は、伸縮テープ１２の幅方向他方の端部３６に向かって矩形形状で突出する突出部３８を有する構造とされている。一方、突出部３８は、電線保護テープ３２の長手方向に相互に離隔して等間隔に複数設けられている。本実施形態においても、電線露呈領域２８の扇形状への追従性や電線群３０への負荷低減の観点から、長手方向に連続して延出する部分における固定テープ３４の幅寸法：Ｗ２は、伸縮テープ１２の幅寸法：Ｗ１の２／３以下、より好ましくは１／２以下とされる。なお、突出部３８の形成領域における固定テープ３４の幅寸法：Ｗ３は、Ｗ１以下且つＷ２以上の範囲で任意に設定可能とされている。
【００２７】
このように、本実施形態においては、電線保護テープ３２の幅方向他方の端部３６に突出部３８を設けられていることから、電線保護テープ３２の幅方向他方の端部３６では、長手方向に固定テープ３４が間欠的に設けられている。これにより、電線保護テープ３２の幅方向他方の端部３６の伸縮性を、長手方向に設けられた固定テープ３４（突出部３８）の割合でもって制御することができるようになる。それ故、電線保護テープ３２の素材を変えることなく、長手方向に設けられた固定テープ３４の割合すなわち固定テープ３４の突出部３８のピッチや形状を変更することにより、非常に容易に電線保護テープ３２の幅方向他方の端部３６の伸縮性を制御でき、図６に示すように、ワイヤハーネス１８のコルゲートチューブ２２から突出する電線群３０の端末の保護に最適な電線保護テープ３２を高い自由度をもって設計することができるのである。
【００２８】
以上、本発明の実施形態について詳述したが、本発明はその具体的な記載によって限定されない。例えば、上記実施形態では、伸縮テープ１２の幅方向一方の端部１６において、伸縮テープ１２端と固定テープ１４，３４端が面一とされていたが、固定テープ１４，３４端が伸縮テープ１２端より内側に配置されていてもよい。
【００２９】
また、固定テープ３４の突出部３８の形状は任意に設定可能である。例えば、固定テープ３４の突出部３８の長手方向の幅寸法は、固定テープ３４の幅方向他方の端部３６に向かって次第に小さくされてもよい。
【００３０】
また、上記実施形態では、突出部３８は、長手方向に相互に離隔して等間隔に複数設けられていたが、不等間隔に設けられていてもよいし、複数の突出部３８の形状を相互に異なるようにしてもよい。
【符号の説明】
【００３１】
１０，３２：電線保護テープ、１２：伸縮テープ、１４，３４：固定テープ、１６：一方の端部、１８：ワイヤハーネス、２２：コルゲートチューブ（外装材）、２４：コネクタ、２６：端部、２８：電線露呈領域、３０：電線群、３６：他方の端部、３８：突出部
【図１】
2014150679.tif 000003
【図２】
2014150679.tif 000004
【図３】
2014150679.tif 000005
【図４】
2014150679.tif 000006
【図５】
2014150679.tif 000007
【図６】
2014150679.tif 000008